(57)【要約】【課題】回転破砕器とその外側の逆円錐台形枠体の両部材に破壊機能をもたせ、破壊力を増強させた破砕装置を提供する【解決手段】バケット状本体フレームの内部に、複数の放射状縦枠を上下複数段の横枠で結合した逆円錐台形の破砕枠体を固定し、上下複数段の破砕歯を突設した回転破砕器を前記破砕枠体内部に配設した破砕装置において、破砕枠体の縦枠を回転破砕器の回転方向の逆方向へ傾斜させて螺旋状に配設する。縦枠を角形鋼材で構成する。回転破砕器の下方に、落下孔を有する中底板を固設し、この中底板に対向する回転破砕器の外側底面に、突出長さの異なる複数の破砕突起を形成する。回転破砕器の破砕歯は、横方向突出長さを下段から上段に向けて次第に長くする。【選択図】　　図１
2004073905.tif 000002
【特許請求の範囲】
【請求項１】
上端を開放したバケット状本体フレームの内部に、複数の放射状縦枠を上下複数段の横枠で結合した逆円錐台形の破砕枠体を固定するとともに、上下複数段の破砕歯を突設した回転破砕器を前記破砕枠体内部に配設した破砕装置において、前記破砕枠体の縦枠を回転破砕器の回転方向の逆方向へ傾斜させて螺旋状に配設したことを特徴とするバケット型破砕装置
【請求項２】
破砕枠体の縦枠を角形鋼材で構成したことを特徴とする請求項１記載のバケット型破砕装置
【請求項３】
回転破砕器の破砕歯の横方向突出長さを下段から上段に向けて次第に長くするとともに、回転破砕器の下方に、落下孔を有する中底板を固設し、この中底板に対向する回転破砕器の外側底面に、突出長さの異なる複数の破砕突起を形成したことをさらに特徴とする請求項１又は２記載のバケット型破砕装置
【発明の詳細な説明】
【００１】
【発明の属する技術分野】
本発明はパワーショベルなどの土木機械のアームに取付け、内部に掬い入れたコンクリート塊などの解体廃棄物を細かく砕くバケット型破砕装置に関する。
【００２】
【従来の技術】
バケット状本体フレーム内に、放射状の縦枠に複数段の横枠を結合した逆円錐台形の枠体を固定し、その内部に回転破砕器を設けた破砕装置は、建造物の解体で発生するコンクリート塊などの破砕に使用されている。
従来の破砕装置は、中央部の回転破砕器に主たる破砕機能をもたせ、外側の逆円錐台形枠体は主として解体物の篩い分けに使用している。
【００３】
この種の破砕装置は、逆円錐台形枠体にも凹凸部を設けているが、縦枠が上方から中心に向けて真っ直に延びる放射枠であるため、逆円錐台形枠体での破壊力が弱い。また、コンクリート塊を逆円錐台形枠体の壁面に係止する力が弱いため、回転破砕器の破砕力がコンクリート塊に伝わりにくく、効率のよい破砕作用が得られないという問題があった。
【００４】
従って、本発明の第１の目的は、回転破砕器とその外側の逆円錐台形枠体の両部材に破壊機能をもたせ、且つ、両部材の破壊力を無駄なく利用することができる破砕装置を提供することにある。
【００５】
本発明の他の目的は、バケット本体フレームの内部に入れたコンクリート塊を上方から下方に向けて次第に小さい塊に破砕し、これにより、回転破砕器に過大な負荷がかからないようにした上記破砕装置を提供することにある。
【００６】
【課題を解決するための手段】
上記第１の目的を達成するために、本発明は、上端を開放したバケット状本体フレームの内部に、複数の放射状縦枠を上下複数段の横枠で結合した逆円錐台形の破砕枠体を固定するとともに、上下複数段の破砕歯を突設した回転破砕器を前記破砕枠体内部に配設した破砕装置において、前記破砕枠体の縦枠を回転破砕器の回転方向の逆方向へ傾斜させて螺旋状に配設したことを特徴とする。
【００７】
逆円錐台形破砕枠体での破壊力を増強するために、好ましくは破砕枠体の上記縦枠を角形鋼材で形成する。
【００８】
上記他の目的を達成するための本発明は、上記破砕装置において、回転破砕器の破砕歯の横方向突出長さを下段から上段に向けて次第に長くするとともに、回転破砕器の下方に、落下孔を有する中底板を固設し、この中底板に対向する回転破砕器の外側底面に、突出長さの異なる複数の破砕突起を形成したことを特徴とする。
【００９】
【発明の実施の形態】
以下、本発明の実施例を添付図面に基づいて説明する。
本発明の破砕装置１は、図１及び図２に示すように、バケット状の本体フレーム２を有し、この本体フレーム２は上端を開放させたバケット状フレームの一側に掬い部３を有するとともに、他側にステイ４を一体に有し、このステイ４を土木機械のアームとリンクに連結するようになっている。
【０１０】
本体フレーム２は底部付近に中底板５を固設してあり、この中底板５と本体フレーム２の上端の間に、逆円錐台形の破砕枠体６が固定されている。
破砕枠体６の内部中心に回転破砕器７が垂直に配設されており、この回転破砕器７は中底板５の下方の本体フレーム底部に固定した油圧モータなどの回転駆動装置８によって矢印（図１）方向に回転するようになっている。
【０１１】
破砕枠体６は、斜め上方に開くようにして放射状に配した複数の縦枠９を複数段の横枠１０ａ、１０ｂ、１０ｃで結合した逆円錐台形の枠体に形成されており、各々の縦枠９は、回転破砕器７の回転方向と逆方向へ傾斜させて放射状に配列され、全体として回転破砕器７の回転方向と逆方向の螺旋状縦枠群を形成している。
【０１２】
縦枠９は好ましくは断面が角形の鋼材からなり、角材角部が破砕枠体６の内側に露出するように配列されている。
【０１３】
破砕枠体６の横枠１０ａ、１０ｂ、１０ｃは角形の鋼材からなり、放射状縦枠９群の外側に環状に結合されているとともに、図の実施例では上下横枠間の間隔は下方に向かうにしたがって狭くしてある。
【０１４】
回転破砕器７は側面に複数の破砕歯１１を上下多段に突設してあり、回転破砕器７と一体に回動する破砕歯１１により本体フレーム２内に入れたコンクリート塊を破砕するように組付けられている。
これらの破砕歯１１は、好ましくは、下段から上段に向かうに従って横方向の突出長さを長くし、これにより、大きな塊が本体フレームの上方に保持され次第に小さく砕かれながら下方へ送られるようにしてある。
また、破砕歯１１は下段に向かうにつれて間隔を狭め、これにより、下位にゆくにしたがって次第に細かく砕くようになっている。
また、破砕歯１１の突出長さは下段になるにしたがい短くし、これにより、大きな塊が本体フレームの上方に保持され次第に小さく砕かれながら下方へ送られるようにしてある。
【０１５】
回転破砕器７は底面と中底板５の間に空間が形成されるようにして設置されており、この底面に複数の破砕突起１２が中底板５に向けて固設されている。
この破砕突起１２は回転破砕器７と一体に回動することにより、回転破砕器７の底面と中底板５の間に入ってきた被破砕物をすりつぶすようにして細破砕し、細かに砕いた後、中底板５の孔１３から下方へ落下させるようになっている。
なお、中底板５は全面に多数の孔１３が開口しており、逆円錐台形破砕枠体６を通って落下してきた破砕処理物が孔１３から本体フレーム２の底へ落下するようになっている。
また、図３に判り易く示すように、本体フレーム２の底板１４は多数の開口部１５が格子状に形成されており、本体フレーム２の底に落下してきた破砕処理物はこの開口部１５から外部へ排出される。
【０１６】
回転破砕器７の底面に突設した破砕突起１２は、突出長さの異なる複数の破砕突起群からなる。
これらの破砕突起群は突出長さの異なる破砕突起１２を不規則に配列してもよく、また、回転方向の前側から後側へ向けて突出長さが次第に長くなるようにしてもよい。後者の場合は、回転破砕器７の破砕突起１２群で被破砕物を圧縮しながら砕くことができる。
【０１７】
なお、図は省略したが、逆円錐台形破砕枠体６の縦枠９は、中間部を破砕枠体２の内側へ湾曲あるいは屈曲させ、これにより、被破砕物との衝突破壊効果を高めてもよい。
【０１８】
次に本発明の破砕装置の作用を説明する。
破砕装置１の本体フレーム２内に投入されたコンクリート塊などの被破砕物は回転破砕器７の破砕歯１１によって砕かれる。
この場合、回転破砕器７の外側に固定されている逆円錐台形破砕枠体６の縦枠９は回転破砕器７の回転方向の逆方向へ傾斜させて放射状に配設してあるので、被破砕物に対して鋭角に当たり、強い破壊力を与えるとともに、被破砕物をその位置におしとどめようとする力が働くので回転破砕器７の破砕歯１１は被破砕物を効率よく砕く。
縦枠９に角形鋼材を使用した場合はこの傾向が一層顕著になる。
【０１９】
回転破砕器７の破砕歯１１の突出長さは最上段が最も長く、下段になるにしたがって短くなっているので大きい塊は上段に溜り、次第に細かく砕かれながら下方へ送り込まれる。
【０２０】
また、破砕歯１１は下段になるにしたがい上下間隔が狭くなっているので破砕粒子が次第に細かになる。
【０２１】
【効果】
本発明の破砕装置は、回転破砕器だけでなく、逆円錐台形破砕枠体も強力な破壊機能を有するので、総体的な破砕効果が著しく向上する。とくに、傾斜させた破砕枠体がコンクリート塊の移動を抑制するので回転破砕器の破壊力を無駄なく利用することができる。
【０２２】
本体フレームの内部でコンクリート塊の大割り、小割り、粉砕作用が分担され、上方から下方へ向けて次第に細かく破砕される。このため、局所的な過大負荷がかからないので破砕装置の耐久性もよくなる。
【図面の簡単な説明】
【図１】本発明の実施例による破砕装置の平面図
【図２】図１のＡ−Ａ線断面図
【図３】本体フレームの底板平面図
【符号の説明】
１…破砕装置
２…本体フレーム
３…掬い部
４…ステイ
５…中底板
６…破砕枠体
７…回転破砕器
８…回転駆動装置
９…縦枠
１０ａ、１０ｂ、１０ｃ…横枠
１１…破砕歯
１２…破砕突起
１３…孔
１４…底板
１５…開口部
【整理番号】ＰＡＳ００２―０１８
【図１】
2004073905.tif 000003
【図２】
2004073905.tif 000004
【図３】
2004073905.tif 000005